(57)【要約】【課題】フィット感のよい使い捨て式防じんマスクの提供。【解決手段】使い捨て式防じんマスクがフィルタ部１と、接顔クッション２と、締紐３ａ，３ｂとを有する。フィルタ部１の外周縁部４０と接顔クッション２の外周縁部２ｂとは重なりあっている。側方から見たときの防じんマスクの外周縁部２ｂでは、鼻梁部と接する第１部分３１と顎と接する第２部分３２とが顔に向かって凹をなしている。外周縁部２ｂにはまた、第１部分３１と第２部分３２との間に、凸をなす第３部分３３と、凹をなす第４部分と、凸をなす第５部分３５とが防じんマスクの上方から下方に向かって順次形成されている。【選択図】図１
2008049194.tif 000002
【特許請求の範囲】
【請求項１】
鼻部及び口部を覆うように略半球状に成形したフィルタ部と、該フィルタ部の全外周縁部から前記フィルタ部の中央へ延びていて前記鼻部及び前記口部に位置する部分に開口を有する接顔クッションと、前記外周縁部から延びる締紐とを有する使い捨て式防じんマスクであって、
前記接顔クッションは外周縁部が前記フィルタ部の前記外周縁部と重なっており、前記接顔クッションの鼻梁部と接する第１部分が上方となり顎部と接する第２部分が下方となるようにして側方から見たときの前記防じんマスクは、前記フィルタ部と前記接顔クッションとの前記外周縁部が、前記防じんマスクの装着者の顔に向かって、前記第１部分と前記第２部分とにおいては凹をなしていて前記第１部分と前記第２部分との間にある他の部分よりも凹んでおり、前記他の部分においては凸をなす第３部分と凹をなす第４部分と凸をなす第５部分とが前記上方から前記下方へ順に形成されており、
前記接顔クッションの前記外周縁部から前記中央へ延びる部分では、前記接顔クッションが顔の起伏に沿うように、前記外周縁部の前記第１，第２，第３，第４，第５部分それぞれの前記凹または前記凸が前記中央へ延びていることを特徴とする前記マスク。
【請求項２】
前記締紐が前記第４部分と第５部分とに取り付けられている請求項１記載のマスク。
【請求項３】
前記第１部分における最も凹んだ第１点と前記第２部分における最も凹んだ第２点とを結ぶ面と前記第３部分における前記顔に向かって最も突出した第３点との間の垂直方向の距離が５〜４０ｍｍである請求項１または２記載のマスク。
【発明の詳細な説明】
【技術分野】
【０００１】
本発明は、鼻部及び口部を覆うように略半球状に成形したフィルタ部と、該フィルタ部の全外縁から中央へ延び、鼻部，口部に位置する部分に開口を有する接顔クッションとからなる使い捨て式防じんマスクに関するものである。
【背景技術】
【０００２】
防じんマスクには、大きく分けて、使用後の集塵能力が低下したろ過材を交換するろ過材取り替え式の防じんマスクと、フィルタ部材からなるマスク全体を廃棄する使い捨て式防じんマスクの２種類がある。前者は、ろ過材，吸気弁，面体及び締紐からなっていて、ろ過材の取り替えが可能であり、後者は、フィルタ部材，面体及び締紐が一体となっている。
【０００３】
また、使い捨て式防じんマスクには、接顔クッションなし型と接顔クッション付き型の２種類があり、接顔クッション付き型の方が長所が多い。
【０００４】
接顔クッションなし型は、全体が不織布を複数枚積層したフィルタ部材から構成され、装着時にフィルタ部材の内面が顔に接する。したがって、フィルタ部材の顔への接触線より外側の部分はフィルタとして寄与せず、フィルタとしての有効面積が小さくなるので、粉塵捕集性能は低下する。また、吸気抵抗が上昇する等の欠点がある。
【０００５】
また、図９に示したような、不織布からなるフィルタ部材を、鼻部及び口部を覆うように略半球状に成形したフィルタ部２１を用いたマスクにおいては、締紐２２を締めることによってフィルタ部を顔の起伏に追従して変化させるようにするが、素材が不織布であるため弾力性に乏しく、したがって、フィルタ部材の顔に対する接触部分が、顔の起伏に十分追従できないため、フィット感が悪くなったり、顔面、特に鼻梁部とマスクの間から粉じんの漏れが生ずる。この漏れを極力少なくするために、ノーズクリップ２３を付ける等の方法もある。しかし、この方法でも、鼻梁部とマスクの間からの漏れは減少するものの、その他の欠点は解消されない。
【０００６】
そこで、これら接顔クッションなし型の問題点を解決するために、マスク本体の全外周縁部から内側方向に延設した柔軟性及び弾力性を有する接顔クッションを有する使い捨て式防じんマスクが実公平７−３６６６９号（特許文献１）に開示されている。
【０００７】
図５〜図８は、この接顔クッションを有する使い捨て式防じんマスクを示したものである。図５，６，７は、この防じんマスクの側面図と斜視図と正面図であり、図８は、この防じんマスクとこれを着用する顔面との側面図である。これらの図において、１１は、鼻部及び口部を覆うように略半球状に成形したフィルタ部、１２は、フィルタ部１１の全外縁から中央へ延び、鼻部，口部に位置する部分に開口１２ａを有する接顔クッション、１３はマスクの両側から延びた弾性を有する締紐である。
【０００８】
この構成のものは、フィルタ部１１が直接顔面に触れないため、フィルタ面積が１００％有効利用できる。また、接顔クッション１２がマスクと顔の接する面積を増やし、さらに柔軟性及び弾力性があるので、顔の起伏に沿ってある程度変形し、フィット感が向上する。さらに、フィルタ部１１は、直接肌に触れないため汗を吸収することがなく、汗の吸収により生ずるフィルタの性能劣化が少ないといった長所もある。このように、接顔クッション付き型マスクは、接顔クッションなし型マスクに比較して多くのメリットを有している。
【０００９】
ここで、フィット感、装着感について説明する。フィット感、装着感がよい、あるいはフィットする、の意味は、（１）マスクを装着したときに、マスクと顔面との接触面にかかる圧力に偏りがなく、（２）顔面とマスクが密着している、つまり顔面とマスクの間からの粉じんの侵入が少ないことをいう。そして、一般的に、マスクを装着した際のフィット感および装着感は重要である。何故ならば、フィット感および装着感が悪いと、顔面にかかる圧力の偏りによって、装着者に部分的な痛みおよび不快感を与えることになり、また、マスクと顔面との間に隙間ができ、そこから多量の粉じんが侵入するからである。
【特許文献１】実公平７−３６６６９号
【発明の開示】
【発明が解決しようとする課題】
【００１０】
しかしながら、上記従来の接顔クッションを有するマスクは、図５〜図８から分かるように、接顔クッション１２として平板状のものが使用されているため、その形状が顔の起伏と大きく異なっている。したがって、顔面にフィットさせるにはかなりの変形や湾曲を伴う必要がある。また、装着時には最初に接顔クッションが鼻梁部と顎部に当たり、その当接部を支点として折り曲げるようにして顔に装着することになる。しかし、略半球状のフィルタ部が柔軟性をあまり持っていないため、折り曲げても顔の起伏にフィットせず、ある程度の隙間が生ずる。そのため、接顔クッションを有するマスクを完全に顔にフィットさせるには、以下の方法が考えられるが、いずれの場合も、フィット感は向上するものの、フィット感以外のマスクとして必要な要素を犠牲にしなければならない。
【００１１】
（１）フィルタ部に柔軟性を持たせることにより顔の形に変形し易くする。この場合、フィット感は問題ないが、フィルタ部が柔らか過ぎるとフィルタ部に凹凸等の変形が生じ易くなり、保形維持性が低下してマスクの外観を損なうことになる。
【００１２】
（２）締紐の張力を強くする。この場合、締紐の張力でマスクを強制的に変形または湾曲させてフィット感を向上させようとすると、フィット感は向上するものの、締紐の張力で強制的に顔の形状に合わせることになるので、顔とマスクの形状が合っていない部分があると、装着時にマスクから顔にかかる圧力に大きな偏りが生じて、大きな圧力がかかる部分に痛みおよび圧迫感が生じる。また、締紐の張力を強くするので、締紐が当たる部分にも大きな力がかかり、痛み等を生じて装着感が悪くなる。
【００１３】
（３）ノーズクリップを使用する。図９に示したように、従来の接顔クッションのないマスクで採用されているノーズクリップ等の部品を付ければよいが、その場合、部品点数が多くなり、コストが高くなるという欠点が生ずる。
【００１４】
また、フィット感の他に、従来品には次のような問題点がある。すなわち、前述のように、フィルタ部が硬いと、マスクが顔の形に追従し難くなり、フィット感が悪くなる。そして、無理に追従させようとすると、顔の起伏に合っていない形状の部分に圧力がかかり、痛みおよび圧迫感を生じる。また、柔らか過ぎると、マスクの外観を損ねてしまう。そのため、フィルタ部は硬さを選択するときの自由度が小さい。
【００１５】
また、接顔クッションの形状が顔の起伏とかなり異なる形状をしているため、顔面にフィットさせるにはかなりの変形や湾曲を伴う必要がある。その結果、保形維持特性の低下および、締紐の張力がある程度必要となり、締紐の当たる部分に痛み等を生ずる問題がある。
【００１６】
本発明は、上記従来技術の問題点のいくつかを解決しようとするもので、マスクのフィット感がよく、さらにフィット感以外のマスクとしての必要な要素についても、従来の接顔クッションを有するマスクと同等以上の性能を有する使い捨て式防じんマスクの提供を目的とする。
【課題を解決するための手段】
【００１７】
上記目的を達成するために、本発明が対象とするのは、鼻部及び口部を覆うように略半球状に成形したフィルタ部と、該フィルタ部の全外周縁部から前記フィルタ部の中央へ延びていて前記鼻部及び前記口部に位置する部分に開口を有する接顔クッションと、前記外周縁部から延びる締紐とを有する使い捨て式防じんマスクである。
【００１８】
このような防じんマスクにおいて、この発明が特徴とするところは、次のとおりである。前記接顔クッションは、外周縁部が前記フィルタ部の前記外周縁部と重なっている。前記接顔クッションの鼻梁部と接する第１部分が上方となり顎部と接する第２部分が下方となるようにして側方から見たときの前記防じんマスクは、前記フィルタ部と前記接顔クッションとの前記外周縁部が、前記防じんマスクの装着者の顔に向かって、前記第１部分と前記第２部分とにおいては凹をなしていて前記第１部分と前記第２部分との間にある他の部分よりも凹んでおり、前記他の部分においては凸をなす第３部分と凹をなす第４部分と凸をなす第５部分とが前記上方から前記下方へ順に形成されている。前記接顔クッションの前記外周縁部から前記中央へ延びる部分では、前記接顔クッションが顔の起伏に沿うように、前記外周縁部の前記第１，第２，第３，第４，第５部分それぞれの前記凹または前記凸が前記中央へ延びている。
【００１９】
本発明の実施形態の一つにおいて、前記締紐が前記第４部分と第５部分とに取り付けられている。
【００２０】
本発明の実施形態の他の一つにおいて、前記第１部分における最も凹んだ第１点と前記第２部分における最も凹んだ第２点とを結ぶ面と前記第３部分における前記顔に向かって最も突出した第３点との間の垂直方向の距離が５〜４０ｍｍである。
【発明の効果】
【００２１】
本発明に係る使い捨て式防じんマスクでは、接顔クッションが顔の起伏に沿った立体形状を有するものになるので、接顔クッションの全体が、略均一な圧力で顔面に接するようになる。したがって、接顔クッションを少しだけ変形または湾曲させる程度で防じんマスクが顔にフィットすることになり、また防塵性能も向上する。
【００２２】
その結果、顔面における部分的な痛みや圧迫感あるいは違和感が減少するとともに、顔面と接顔クッションとの間の気密性が高くなって、粉じんの侵入が少なくなる。また、装着時のマスクの変形および湾曲を小さくすることもできるので、マスクは型くずれが起きにくくなり、保形維持特性が向上する。さらに、締紐を弱い力で締めて装着しても顔にフィットするので、締紐の締付による痛みも少なくなる。さらにはまた、接顔クッションが顔の起伏に沿った形状であるため、フィルタ部を硬くしても、マスクを着用したときの部分的な痛みや違和感が生じにくくなり、したがって、フィルタ部の硬さを選択するときの自由度が大きくなる。
【００２３】
また、締紐が凹をなす第４部分に取り付けられている防じんマスクは、防じんマスクが装着されて締紐に張力が作用すると、凹んでいる第４部分を顔に向かって引き寄せて、接顔クッションと顔との間に間隙ができるのを防ぐことができる。
【発明を実施するための最良の形態】
【００２４】
以下、本発明の実施の形態について、図面を参照しながら詳細に説明する。図１〜図４は、本発明の一実施の形態における使い捨て式防じんマスクを示したものであって、図１はその防じんマスクの側面図であり、図２は図１の防じんマスクの斜視図であり、図３は図１の防じんマスクの正面図であり、図４は図１の防じんマスクと顔面との側面図である。これらの図において、１はフィルタ部、２は接顔クッション、３ａ，３ｂは締紐である。フィルタ部１は、マスク装着者の顔５０の鼻部５１及び口部５２を覆うように略半球状に成形されている。接顔クッション２は、フィルタ部１の外周縁部４０の全体から中央へ延び、鼻部５１、口部５２に位置する部分に開口２ａを有し、弾力性または伸縮性を有している。図１，４には、防じんマスクの上下方向Ｐと顔５０に向く方向Ｑとが示されている。
【００２５】
図１，２において、この接顔クッション２は、顔５０の起伏に沿うような凹凸を有する立体形状となっており、特に、鼻梁部５３（図４参照）と接する第１部分３１及び顎部５４と接する第２部分３２が凹をなしていて他の部分よりも凹んでいる。そして、接顔クッション２の外周において、鼻梁部５３と顎部５４とに接するこれら第１，第２部分３１，３２においての最も凹んでいる第１，第２点５６，５７を含む面Ａから最も突出した第３点５８を通る線Ｂまでの垂直方向の距離を５〜４０ｍｍ、好ましくは１０〜３０ｍｍの範囲とする。接顔クッション２の外周縁部２ｂは、フィルタ部１の外周縁部４０に重なっていて、その外周縁部４０が第１部分３１と第２部分３２とに重なる部分において凹んでいる。
【００２６】
図１，２においてはまた、接顔クッション２の外周縁部２ｂにおける第１部分３１と第２部分３２との間に、防じんマスク装着者の顔５０に向く方向Ｑに向かって凸をなす第３部分３３と、方向Ｑに向かって凹をなす第４部分３４と、方向Ｑに向かって再び凸をなす第５部分３５とが図１の上方から下方に向かって順に形成されている。フィルタ部１の外周縁部４０もこれら第１〜第５部分３１〜３５と同様に凹をなしているかまたは凸をなしている。接顔クッション２はまた、フィルタ部１の外周縁部４０の全体から中央へ延びるものであって、その中央へ延びる部分では、第１〜第５部分３１〜３５それぞれの凹形状または凸形状が中央へ延びている。
【００２７】
以上のように構成された本実施の形態における使い捨て式防じんマスクは、次のような利点を有する。
【００２８】
（１）マスクの接顔クッションが顔の起伏に沿った立体形状になっているため、装着時に呼吸をする鼻部，口部を取り巻くように顔に密接し、接顔クッションと顔面との間にほとんど隙間ができず、したがって、粉じん等の侵入が少なくなる。
【００２９】
（２）接顔クッションが顔の起伏に沿った立体形状になっているため、締紐の張力が小さくても顔によくフィットし、また、締紐の張力が小さいと、顔に痛みや違和感を生ずることがなく、装着感がよい。
【００３０】
（３）装着時のマスクの変形あるいは湾曲が小さいので、保形維持特性がよく、外観を損なうことがない。
【００３１】
（４）締紐の張力が小さくてもマスクが顔にフィットするので、フィルタ部を多少硬くしても、顔における部分的な痛みや違和感を生ずることがなく、フィルタ部の硬さの自由度も広がる。
【００３２】
（５）ノーズクリップのような部品を使用しないので、従来の接顔クッション付きマスクと同じ部品点数で、フィット感を向上することができる。
【００３３】
図１，２において明らかなように、防じんマスクがその上方と下方とに締紐３ａと締紐３ｂとを有していて、締紐３ａが部材４１ａを介して第４部分３４に取り付けられており、締紐３ｂが部材４１ｂを介して第５部分３５に取り付けられている。この防じんマスクを装着して締紐３ａ，３ｂに張力を作用させると、接顔クッション２を顔５０に密着させることができるのであるが、締め紐３ａはそれが顔５０に向かって凹んでいる第４部分３４に取り付けられていることによって、凸をなす第３部分３３や第５部分３５がたとえ先に顔５０に接触しても、その凹んでいる第４部分３４を顔５０に向かって強く引き寄せて、第４部分３４と顔５０との間に間隙ができることを防ぐことに役立つ。
【図面の簡単な説明】
【００３４】
【図１】本発明に係る使い捨て式防じんマスクの側面図。
【図２】図１の防じんマスクの斜視図。
【図３】図１の防じんマスクの正面図。
【図４】図１の防じんマスクと顔との側面図。
【図５】従来例の使い捨て式防じんマスクの側面図。
【図６】図５の防じんマスクの斜視図。
【図７】図５の防じんマスクの正面図。
【図８】図５の防じんマスクと顔との側面図。
【図９】図５とは異なる従来例の使い捨て式防じんマスク。
【符号の説明】
【００３５】
１  フィルタ部
２  接顔クッション
２ａ  開口
２ｂ  外周縁部
３ａ，３ｂ  締紐
３１  第１部分
３２  第２部分
３３  第３部分
３４  第４部分
３５  第５部分
４０  外周縁部
５０  顔
５２  口部
５３  鼻梁部
５４  顎部
５６  第１点
５７  第２点
５８  第３点
【図１】
2008049194.tif 000003
【図２】
2008049194.tif 000004
【図３】
2008049194.tif 000005
【図４】
2008049194.tif 000006
【図５】
2008049194.tif 000007
【図６】
2008049194.tif 000008
【図７】
2008049194.tif 000009
【図８】
2008049194.tif 000010
【図９】
2008049194.tif 000011